(57)【要約】【解決手段】  放送メディア視聴システムは、プライマリメディアコンテンツを供給するプライマリデータ、および補足情報を提供する補足データを含む放送ストリーム源を有する。メディアコンテンツ視聴メカニズムは、プライマリデータをデコードし、プライマリメディアコンテンツを第１のアクティブディスプレイに描画する。携帯装置は、補足データをデコードし、補足情報を第２のアクティブディスプレイに描画する。【特許請求の範囲】
【請求項１】
放送メディア視聴システムは、
プライマリメディアコンテンツを供給するプライマリデータ、および補足情報を提供する補足データを含む放送ストリーム源と、
プライマリデータをデコードし、プライマリメディアコンテンツを第１のアクティブディスプレイに描画するメディアコンテンツ視聴メカニズムと、
補足データをデコードし、補足情報を第２のアクティブディスプレイに描画する携帯装置と、
を有する。
【請求項２】
請求項１のシステムであって、
第１のアクティブディスプレイに描画されるプライマリメディアコンテンツは、補足データが埋め込まれたイメージを含み、
上記携帯装置は、上記イメージに埋め込まれた補足データを検出しデコードする。
【請求項３】
請求項１のシステムであって、
上記放送ストリームは、複数のチャンネルに編成され、
上記チャンネルは、そのチャンネルのプライマリデータに埋め込まれた対応する補足データを有し、
上記メディアコンテンツ視聴メカニズムは、放送信号の選択されたチャンネルを受信する第１のチューナを有し、
上記携帯装置は、放送信号の選択されたチャンネルを受信する第２のチューナを有する。
【請求項４】
請求項１のシステムであって、
上記携帯装置は、ユーザ入力に応じて、上記第１のチューナおよび第２のチューナに、選択されたチャンネルを指定するように動作可能である。
【請求項５】
請求項１のシステムであって、
上記携帯装置は、さらに、
補足情報源からの補足情報をバッファしストアするコンテンツデータベースと、
デコードされた補足データに基づくコンテンツ、およびコンテンツデータベースのコンテンツの一貫したパッケージを伝達する同期エンジンと、
を有する。
【請求項６】
請求項１のシステムであって、
上記携帯装置は、さらに、
プライマリメディアコンテンツを抽出するためにプライマリデータを所定のフレーム間隔でデコードし、プライマリメディアコンテンツを第２のアクティブディスプレイに縮小した解像度で描画する断続的プライマリメディアコンテンツデコーダを有する。
【請求項７】
請求項１のシステムであって、
上記携帯装置は、さらに、
プライマリメディアコンテンツを抽出するためにプライマリデータをデコードし、プライマリメディアコンテンツを第２のアクティブディスプレイに描画する断続的プライマリメディアコンテンツデコーダを有する。
【請求項８】
請求項７のシステムであって、
上記携帯装置は、プライマリメディアコンテンツを電子プログラミングガイドのコンテンツを含む補足メディアコンテンツと組み合わせて第２のアクティブディスプレイに描画する。
【請求項９】
請求項８のシステムであって、
上記プライマリメディアコンテンツデコーダは、電子プログラミングガイドのコンテンツのユーザアクセスに基づいたチャンネルを選択的にデコードする。
【請求項１０】
請求項７のシステムであって、
上記プライマリメディアコンテンツデコーダは、上記メディアコンテンツ視聴メカニズムの第１のアクティブディスプレイに表示するために選択されたチャンネルをデコードし、
チャンネルサーフィン状態の際に、プライマリメディアコンテンツの共通表示が達成される。
【請求項１１】
請求項７のシステムであって、
上記プライマリメディアコンテンツデコーダは、上記メディアコンテンツ視聴メカニズムの第１のアクティブディスプレイに表示するために選択されるチャンネルとは無関係なチャンネルをデコードし、
チャンネルサーフィン状態の際に、ユーザに２つのチャンネルを同時に見ることを許容する。
【請求項１２】
放送メディア視聴システムに用いられる携帯装置は、
プライマリメディアコンテンツを供給するプライマリデータ、および補足情報を提供する補足データを含む、放送ストリームの選択されたチャンネルを受信する第１のチューナと、
補足情報を抽出するために補足データをデコードする補足デコーダと、
補足情報をユーザに伝達する第１のアクティブディスプレイと、
上記第１のチューナに、選択されたチャンネルを指定するとともに、選択されたチャンネルを受信する第２のチューナを有するメディアコンテンツ視聴メカニズムに、選択されたチャンネルを指定するコマンドプロセッサと、
を有し、
上記メディアコンテンツ視聴メカニズムは、プライマリデータをデコードし、プライマリメディアコンテンツを第２のアクティブディスプレイに描画するように動作可能である。
【請求項１３】
請求項１２の装置であって、さらに、
プライマリメディアコンテンツを抽出するためにプライマリデータを所定のフレーム間隔でデコードし、プライマリメディアコンテンツを第１のアクティブディスプレイに縮小した解像度で描画する断続的プライマリメディアコンテンツデコーダを有する。
【請求項１４】
請求項１２の装置であって、さらに、
補足情報源からの補足情報をバッファしストアするコンテンツデータベースと、
デコードされた補足データに基づくコンテンツ、およびコンテンツデータベースのコンテンツの一貫したパッケージを伝達する同期エンジンと、
を有する。
【請求項１５】
放送メディア視聴システムに用いられる携帯装置は、
メディアコンテンツ視聴メカニズムの第１のアクティブディスプレイに表示された、プライマリメディアコンテンツを含むイメージに埋め込まれた補足データを検出するフォトセンサと、
補足情報を抽出するために補足データをデコードする補足デコード回路と、
上記補足情報をユーザに伝達する第２のアクティブディスプレイと、
を有する。
【請求項１６】
請求項１５の装置であって、さらに、
プライマリデータを含む信号を受け入れる入力部と、
プライマリメディアコンテンツを抽出するためにプライマリデータを所定のフレーム間隔でデコードし、プライマリメディアコンテンツを第２のアクティブディスプレイに縮小した解像度で描画する断続的プライマリメディアコンテンツデコーダと、
を有する。
【請求項１７】
請求項１５の装置であって、さらに、
補足情報源からの補足情報をバッファしストアするコンテンツデータベースと、
デコードされた補足データに基づくコンテンツ、およびコンテンツデータベースのコンテンツの一貫したパッケージを伝達する同期エンジンと、
を有する。
【請求項１８】
メディアコンテンツ視聴システムに用いられる同期方法は、
ユーザによって楽しまれるテレビジョン放送に埋め込まれる補足データをデコードし、
関連情報源からの補足データに基づいて、関連情報を検索し、
上記補足データおよび関連情報を補足情報としてコンテンツデータベースにバッファしストアし、
デコードされた補足データに基づくコンテンツ、およびコンテンツデータベースのコンテンツの一貫したパッケージを伝達する。
【請求項１９】
請求項１８の方法であって、さらに、
断続的にテレビジョン放送のプライマリデータをデコードしてプライマリメディアコンテンツを取得し、
上記プライマリメディアコンテンツを縮小した解像度で視覚的に描画する。
【請求項２０】
請求項１８の方法であって、さらに、
テレビジョン放送のプライマリデータをデコードしてプライマリメディアコンテンツを取得し、
上記プライマリメディアコンテンツを視覚的に描画する。
【請求項２１】
請求項２０の方法であって、さらに、
プライマリメディアコンテンツを電子プログラミングガイドのコンテンツを含む補足メディアコンテンツと組み合わせて描画する。
【請求項２２】
請求項２１の方法であって、さらに、
ユーザが選択した放送のチャンネルのプライマリメディアコンテンツを表示させるように、周辺メディアコンサンプション装置を遠隔制御し、
電子プログラミングガイドのコンテンツへのユーザアクセスに基づいてユーザが選択したチャンネルのユーザ選択と独立したチャンネルを選択的にデコードする。
【請求項２３】
請求項２０の方法であって、さらに、
ユーザが選択した放送のチャンネルのプライマリメディアコンテンツを表示させるように、周辺メディアコンサンプション装置を遠隔制御し、
周辺メディアコンサンプション装置に表示するために選択されたチャンネルをデコードして、チャンネルサーフィン状態の際に、プライマリメディアコンテンツの共通表示が達成される。
【請求項２４】
請求項２０の方法であって、さらに、
ユーザが選択した放送のチャンネルのプライマリメディアコンテンツを表示させるように、周辺メディアコンサンプション装置を遠隔制御し、
周辺メディアコンサンプション装置によって表示するためにユーザ選択されたチャンネルとは無関係にチャンネルをデコードして、チャンネルサーフィン状態の際に、ユーザに２つのチャンネルを同時に見ることを許容する。
【請求項２５】
請求項１８の方法であって、さらに、
ユーザがアクセス可能なように補足メディアコンテンツを特定するメタデータタグを生成し、
上記メタデータタグを補足メディアコンテンツに関連するプライマリメディアコンテンツを含む放送信号中に埋め込み、
上記信号をユーザに放送する。
【請求項２６】
請求項２５の方法であって、さらに、
上記メタデータタグはＸＭＬタグである。
【請求項２７】
メディアコンテンツ視聴システムに用いられる同期方法は、
ユーザがアクセス可能なように補足メディアコンテンツを特定するメタデータタグを生成し、
上記メタデータタグを補足メディアコンテンツに関連するプライマリメディアコンテンツを含む放送信号中に埋め込み、
上記信号をユーザに放送する。
【発明の詳細な説明】
【技術分野】
【０００１】
本発明は、主として、インタラクティブなテレビジョンおよび本質的に異なる情報源からのシームレスな情報の統合に関し、特に、ユーザに画一的で一貫したインタフェイスを提供するために、テレビジョン放送信号に関連づけられた補足的なデータを受信し処理する携帯装置に関するものである。
【背景技術】
【０００２】
テレビジョン（TＶ）放送においては、消費者がプライマリメディアコンテンツと補足情報（例えばＥＰＧや広告ＵＲＬ等）とを同時に受け取ることができるように、補足情報が、プライマリメディアコンテンツの放送ストリーム中に補足データとして典型的に埋め込まれる。このように放送ストリームはプライマリデータ（Ａ／Ｖ）と補足データとを含む。通常、そのための手法は、これらの情報のセットをデコードし処理するために、セットトップボックス（ＳＴＢ）に設けられ、補足情報はメインのＴＶスクリーン上にオーバレイされて表示される。その結果の表示は、消費者にとっては、好ましいものではない。なぜならば、ＴＶのアクティブディスプレイにオーバレイされた情報は、プライマリメディアコンテンツの主表示を妨げるからである。このため、補足データをプライマリメディアコンテンツの提示にオーバレイさせる視聴者は、他の視聴者がプライマリメディアコンテンツを見るのをじゃますることになる。さらに、ＳＴＢが必要になることは消費者に実体的なコストを強いることになる。
【０００３】
ＴＶ番組の補足情報は全く異なる情報源に存在するかも知れないので（例えばインターネット、放送チャンネル、外部記憶装置等）、プライマリメディアコンテンツの提示および補足情報の提示は、コンテンツの均質なパッケージをユーザに届けるために、同期させる必要がある。「時刻」と「チャンネル」とに基づくような単純な同期方法は、信頼性がない。なぜならば、ＴＶ番組のスケジュールは予告なく変更されるかも知れないからである。とりわけ、ＴＶ広告などは、通常、正確なスケジュールさえ存在しない。
【０００４】
補足情報を見るための第２画面を設けた携帯装置を使用してＴＶの視聴性を高める一方ＳＴＢを設ける必要がないシステムへが要望されている。さらに、放送信号の実際のコンテンツに基づく信頼性のある同期方法も要望されている。本発明は、これらの要望を満足させる。
【発明の開示】
【課題を解決するための手段】
【０００５】
本発明によれば、放送メディア視聴システムは、プライマリメディアコンテンツを供給するプライマリデータ、および補足情報を提供する補足データを含む放送ストリーム源を有する。メディアコンテンツ視聴メカニズムは、プライマリデータをデコードし、プライマリメディアコンテンツを第１のアクティブディスプレイに描画する。携帯装置は、補足データをデコードし、補足情報を第２のアクティブディスプレイに描画する。
【０００６】
本発明の放送メディア視聴システムおよび携帯装置は、高価なサーバやＳＴＢを必要とすることのない、自己包含、統合された環境／システムという点で、従来の視聴システムに対して、優れている。それは、さらに、統合環境（ＴＶから装置への遅延のないダイレクトキャプチャリング）およびコンテンツベース同期体系による、保証された進行中のＴＶ番組とのリアルタイム同期を提供する。システムは、ディジタルおよびアナログの両方のシステムに用いることができ、ＴＶシステムの種々の環境に適用することができる。
【０００７】
本発明のさらなる適用範囲は、以下に記載する詳細な説明により明らかにされる。ここで、これらの詳細な説明および具体例は、本発明の好適な実施形態を示すものであるが、単に例示の目的を意図したものであり、本発明の範囲を限定することを意図するものではない。
【０００８】
本発明は、詳細な説明および伴う図面から、より十分に理解される。
【発明を実施するための最良の形態】
【０００９】
好ましい実施形態の以下の記載は、本来的に単なる例であり、本発明を限定することを意図するものでは全くない。
【００１０】
本発明は、ＴＶ放送ストリームから補足情報を受け取り、補足情報の伝達をその装置上または他の本質的に異なるデータ源のプライマリメディアコンテンツと同期させる携帯装置を提供する。本発明は、特に、図１に示すように、放送源１２から放送信号を受信し、プライマリデータ１６から補足データ１４を分離し、プライマリデータ、および補足データをそれぞれメディアコンテンツ視聴メカニズム１８、および携帯装置２０に別個に伝達するＳＴＢ１０を用いない点が、従来装置と異なる。
【００１１】
本発明によれば、図２に示すように、代わりに、携帯装置２０が放送源１２からの放送信号を受信し、および／またはメディアコンテンツ視聴メカニズム１８のアクティブディスプレイに表示されるビデオイメージに埋め込まれたデータを検出することによって、メディアコンテンツ視聴メカニズム１８からのデータを得る。すなわち、本発明の携帯装置２０は、放送信号をデコード、処理して補足データを抽出するように適合され、および／またはフォトセンサを用いてビデオイメージから補足データを抽出するように適合される。さらに、本発明の携帯装置２０は、断続的にプライマリデータをデコードし、プライマリメディアコンテンツの部分を携帯装置２０のアクティブディスプレイに描画する。
【００１２】
図３に示す実施形態１では、携帯装置は、アクティブディスプレイ（ＬＣＤ等）、ＴＶチューナ２２およびチャンネル選択メカニズム、デコーダ２４、ユーザ入力２６（タッチスクリーン、スタイラス、キーボード等）、バッテリ、メモリ、ネットワークインタフェイス、およびその他の周辺Ｉ／Ｏ２８を含む。動作時には、携帯装置２０は、ＴＶチューナ２２を介して放送信号を受信する。放送信号は、複数のチャンネルに編成され、チャンネルは、そのチャンネルのプライマリデータに埋め込まれた対応する補足データを有する。ＴＶチューナ２２は、放送信号を受信して、ユーザによって選択されたチャンネルに同調させるために用いられ、補足データデコーダ２４は、放送信号の選択されたチャンネルに埋め込まれた補足データをデコードする。ここで、補足データデコーダ２４は、放送信号からの補足データだけをデコードするために用いられ、プライマリＡ／Ｖ信号は無視する。この種の機能は、アナログ（ＶＢＩ、ＶＥＩＬ、またはＱＡＭ）およびディジタル信号（ＭＰＥＧ）の何れによっても達成される。
【００１３】
同期エンジン３０は、リアルタイムＴＶおよび他の本質的に異なるソースからのコンテンツをバッファしストアするために用いられるコンテンツデータベース３２にアクセスする。同期エンジン３０は、ＴＶ放送からのリアルタイムコンテンツ、およびコンテンツデータベースで利用可能なものに基づいて、一貫したコンテンツのパッケージを伝達するように構成される。同期エンジン３０は、また、必要な情報を他のネットワークインタフェイスや他の周辺Ｉ／Ｏ２８に要求できるようにしてもよい。補足データ構文解析部３４は、補足情報に規定されるメタデータタグ（ＸＭＬ）や他の識別情報に基づいて、抽出された補足情報を解析する。次に、プロセッサ３６は、解析された補足情報を、ソフトウェアアプリケーション３８のグラフィックユーザインタフェイス（ＧＵＩ）コンポーネントを介して、ビューアに提示する。
【００１４】
図４の同期手法は、特に、補足データ３９中にＵＲＬを埋め込まず、関連づけられるＵＲＬが事前特定されることを必要としない従来技術と異なる。一方、本発明は、情報がインターネット２８Ａおよび／または外部Ｉ／Ｏ装置２８Ｂに存在し得ることを実現する。これらのロケーションは、補足的コンテンツが放送ヘッドエンドにおいて認可された時点では未知である。それゆえ、補足データ３９は、ＵＲＬではなくＸＭＬベースのタグによって、そのコンテンツに関する情報を埋め込む。ＸＭＬ構文解析部３４Ｂは、この機能を助けるために働く。外部Ｉ／Ｏ装置２８Ｂは、補足データに同期して検索されユーザに提示され得る他の関連する情報をストアし、ＸＭＬ構文解析部３４Ａは、この機能を助けるために働く。さらに、インターネット２８Ａは、他の関連する同期した情報を検索するのにも用いることができる。関連情報は、またさらに、インターネット２８Ａおよび／または外部Ｉ／Ｏ装置２８Ｂによって、直近に抽出された補足データ３９および／またはユーザがどのチャンネルを見ているかに関する先行する知識に基づいて求めることもできる。
【００１５】
さらに、コンテンツデータベース３２は、補足データ３９および関連情報を、事前検索された補足データおよび関連情報と同様にバッファする。ここで、上記事前検索された補足データは、システムおよび学習を通じたユーザの振る舞いにしたがってストアすべく選択されている。コンテンツデータベース３２のコンテンツは、このように学習プロセスを通じて頻繁にアップデートされる。関連情報は、このように、さらに、事前ストアされたコンテンツデータベース３２のコンテンツから、直近に抽出された補足データ３９および／またはユーザがどのチャンネルを見ているかに関する先行する知識に基づいて求めることもできる。その結果、ユーザは、補足情報に基づく利用可能な情報を検索し、ストアし、およびまたは編集することができる。ここで、上記補足情報は、放送信号から抽出された補足データ、および／またはインターネット２８Ａによって、外部Ｉ／Ｏ装置２８Ｂによって、および／またはコンテンツデータベース３２から得られた関連情報を含む。
【００１６】
ユーザは、ユーザインタフェイス２６、およびハンドライティング・サーチエンジン４０を介してコマンドを入力することにより、携帯装置２０（図３）およびＴＶを操作することができる。プロセッサ３６は、ユーザ入力に基づいてＴＶチューナ２２およびＴＶ制御回路４２を制御し、ＴＶおよび携帯装置を放送信号の同じチャンネルに同時に同調させる。データリクエスト／コマンドプロセッサ３６は、さらに、ユーザに他のＴＶ制御機能（例えばボリューム等）を働かせるよう選択することを許容する。補足データデコーダ２４および同期エンジン３０は、このように相互に影響し合い、補足情報のコンテンツに基づくコンテンツの画一的なパッケージを提供する。ユーザとしては、チャンネルを同調するだけで、進行中のＴＶ番組に関連する補足情報が携帯装置のアクティブディスプレイに表示される。ユーザは、ダウンロードされた補足情報を編集したり、不要なセクションを削除したり、または保存したりすることによって操作することができる。本発明の携帯装置２０は、アナログ放送（ＶＢＩなど）および／またはディジタル放送（例えばＭＰＥＧデコーディング）に対して機能することができる。
【００１７】
図５に示す実施形態２は、携帯装置２０がＴＶチューナ／デコーダを用いないことを除いて、実施形態１と同様である。代わりに、ＴＶから送信される光信号を検出し、光イメージから埋め込まれたデータをデコードするよう動作するフォトセンサ・デコード回路４４を有している。この装置では、ユーザは最初にＴＶチャンネルを同調する必要がない。その代わりに、ユーザは、単にフォトセンサをＴＶ画面に向けて、そこに表示されるビデオイメージに埋め込まれる補足情報を受信することができる。この目的には、ＶＥＩＬ光データエンコーディング／デコーディングなどの技術が利用できる。フォトセンサ４４は、アナログおよび／またはディジタルイメージに対して動作可能である。データリクエスト／コマンドプロセッサ３６は、ユーザに“キャプチャ”コマンドを発行することを許し、フォトセンサ／回路４４は、ＴＶ画面に表示されたイメージに埋め込まれた補足データのキャプチャを開始する。
【００１８】
図６に示す実施形態３は、基本的に実施形態１および実施形態２の１以上の機能を高めたものである。実施形態３は、断続的Ａ／Ｖデコーダ４６が付加された携帯装置２０である。断続的Ａ／Ｖデコーダは、所定のフレーム間隔で放送ストリームからＡ／Ｖコンテンツを抽出するためにプライマリデータをデコードし、Ａ／Ｖコンテンツを携帯装置２０のアクティブディスプレイに縮小した解像度で表示する。この携帯装置２０では、ユーザが補足情報をダウンロードしたときに、ユーザのカレントチャンネルおよび／またはメディアコンテンツとの相互作用を反映するために、フレームショットが装置のディスプレイに表示される。断続的Ａ／Ｖデコーダ４６は、フルフレッジドなチューナに比べて携帯装置２０の消費電力およびＣＰＵリソースを抑制する一方で、所定の間隔で更新されるフレームショットがユーザに進行中のＴＶコンテンツの画面を与えるのに十分なように設計される。
【００１９】
種々の実施形態において、プライマリメディアコンテンツは、断続的または連続的に抽出されてもよく、また、携帯装置の第２のアクティブディスプレイに最大解像度または縮小された解像度で表示されてもよい。抽出されたプライマリメディアコンテンツは、様々に用いてもよい。例えば、ユーザは、第２のアクティブディスプレイだけを見ながらチャンネルサーフをしてもよい。また、ユーザは、カレントチャンネルと第２のアクティブディスプレイ上の電子プログラミングガイドコンテンツとを同時に見てもよい。さらに、断続的または連続的なプライマリメディアコンテンツデコーダは、テレビジョンなどのプライマリメディアコンサンプション装置の現行選択チャンネルや、携帯装置によりアクセスされる電子プログラミングガイドの現行選択チャンネルのプライマリメディアコンテンツの抽出に適合してもよい。またさらに、携帯装置は、テレビジョンに共通に表示されるプライマリメディアコンテンツのデコーディングと、電子プログラミングガイドのユーザー選択チャンネルのデコーディングとを自動的に切り替えるように適合されてもよい。このように携帯装置が、携帯装置を介した電子プログラムガイドのユーザアクセスに基づいたユーザが興味を示す他のチャンネルの交代交代のプライマリメディアコンテンツを独立に表示する一方、チャンネルサーフィンの間、自動的にプライマリメディアコンテンツを共通に表示してもよい。加えて、ユーザは、選択的に、チャンネルサーフィンの間共通表示を抑制したり、ユーザのオプションで携帯装置だけやテレビジョンだけを用いて交代交代のチャンネルをサーフしたりすることが許されてもよい。そこで、補足コンテンツは、何れかまたは両方のチャンネルから抽出されて、同時にユーザによって見られてもよい。
【００２０】
上記発明の記載は、本来的に単なる例示であり、発明の要旨を逸脱しない種々の変形例は発明の範囲であることが意図される。例えば、放送信号を受信し、補足情報を抽出し、適切なチャンネルを特定してチューナを制御するためにフォトセンサおよびデコーディング回路を用いる携帯装置等を達成するために、本発明の種々の実施形態が組み合わされてもよい。また、携帯装置のデコーダは、Ａ／Ｖ信号を補足データと同様に完全にデコードするように動作してもよいし、それによって、携帯装置でのプライマリメディアコンテンツの表示を高い解像度で可能にしてもよい。概して、本発明の適切な実施は、適用できる技術や市場の動向に応じて相違し得る。これらの変形は、発明の精神および範囲からの逸脱とは見なされない。
【図面の簡単な説明】
【００２１】
【図１】従来のメディアコンテンツ視聴システムのブロック図である。
【図２】本発明のメディアコンテンツ視聴システムのブロック図である。
【図３】本発明の実施形態１の携帯装置のブロック図である。
【図４】本発明の、異なるソースからの情報の同期を説明するブロック図である。
【図５】本発明の実施形態２の携帯装置のブロック図である。
【図６】本発明の実施形態３の携帯装置のブロック図である。
【符号の説明】
【００２２】
１２      放送源
１４      補足データ
１６      プライマリデータ
１８      メディアコンテンツ視聴メカニズム
２０      携帯装置
２２      ＴＶチューナ
２４      デコーダ
２６      ユーザインタフェイス
２８      周辺Ｉ／Ｏ
２８Ａ    インターネット
２８Ｂ    外部Ｉ／Ｏ装置
３０      同期エンジン
３２      コンテンツデータベース
３４      補足データ構文解析部
３４Ａ    ＸＭＬ構文解析部
３４Ｂ    ＸＭＬ構文解析部
３６      データリクエスト／コマンドプロセッサ
３８      ソフトウェアアプリケーション
３９      補足データ
４０      ハンドライティング・サーチエンジン
４２      ＴＶ制御回路
４４      フォトセンサ・デコード回路
４６      断続的Ａ／Ｖデコーダ
【図１】
2006508618.tif 000002
【図２】
2006508618.tif 000003
【図３】
2006508618.tif 000004
【図４】
2006508618.tif 000005
【図５】
2006508618.tif 000006
【図６】
2006508618.tif 000007
【手続補正書】
【提出日】平成16年12月10日(2004.12.10)
【手続補正１】
【補正対象書類名】特許請求の範囲
【補正対象項目名】全文
【補正方法】変更
【補正の内容】
【特許請求の範囲】
【請求項１】
放送メディア視聴システムは、
プライマリメディアコンテンツを供給するプライマリデータ、および補足情報を提供する補足データを含む放送ストリーム源と、
プライマリデータをデコードし、プライマリメディアコンテンツを第１のアクティブディスプレイに描画するメディアコンテンツ視聴メカニズムと、
補足データをデコードし、補足情報を第２のアクティブディスプレイに描画する携帯装置と、
を有し、
上記携帯装置は、放送ストリームをメディアコンテンツ視聴メカニズムによって受信されるのと同時に受信し、上記携帯装置およびメディアコンテンツ視聴メカニズムは、それぞれ放送ストリームの異なるチャンネルに独立に同調可能なチューナを有する。
【請求項２】
請求項１のシステムであって、
第１のアクティブディスプレイに描画されるプライマリメディアコンテンツは、補足データが埋め込まれたイメージを含み、
上記携帯装置は、上記イメージに埋め込まれた補足データを検出しデコードする。
【請求項３】
請求項１のシステムであって、
上記放送ストリームは、複数のチャンネルに編成され、
上記チャンネルは、そのチャンネルのプライマリデータに埋め込まれた対応する補足データを有し、
上記メディアコンテンツ視聴メカニズムは、放送信号の選択されたチャンネルを受信する第１のチューナを有し、
上記携帯装置は、放送信号の選択されたチャンネルを受信する第２のチューナを有する。
【請求項４】
請求項１のシステムであって、
上記携帯装置は、ユーザ入力に応じて、上記第１のチューナおよび第２のチューナに、選択されたチャンネルを指定するように動作可能である。
【請求項５】
請求項１のシステムであって、
上記携帯装置は、さらに、
補足情報源からの補足情報をバッファしストアするコンテンツデータベースと、
デコードされた補足データに基づくコンテンツ、およびコンテンツデータベースのコンテンツの一貫したパッケージを伝達する同期エンジンと、
を有する。
【請求項６】
請求項１のシステムであって、
上記携帯装置は、さらに、
プライマリメディアコンテンツを抽出するためにプライマリデータを所定のフレーム間隔でデコードし、プライマリメディアコンテンツを第２のアクティブディスプレイに縮小した解像度で描画する断続的プライマリメディアコンテンツデコーダを有する。
【請求項７】
請求項１のシステムであって、
上記携帯装置は、さらに、
プライマリメディアコンテンツを抽出するためにプライマリデータをデコードし、プライマリメディアコンテンツを第２のアクティブディスプレイに描画する断続的プライマリメディアコンテンツデコーダを有する。
【請求項８】
請求項７のシステムであって、
上記携帯装置は、プライマリメディアコンテンツを電子プログラミングガイドのコンテンツを含む補足メディアコンテンツと組み合わせて第２のアクティブディスプレイに描画する。
【請求項９】
請求項８のシステムであって、
上記プライマリメディアコンテンツデコーダは、電子プログラミングガイドのコンテンツのユーザアクセスに基づいたチャンネルを選択的にデコードする。
【請求項１０】
請求項７のシステムであって、
上記プライマリメディアコンテンツデコーダは、上記メディアコンテンツ視聴メカニズムの第１のアクティブディスプレイに表示するために選択されたチャンネルをデコードし、
チャンネルサーフィン状態の際に、プライマリメディアコンテンツの共通表示が達成される。
【請求項１１】
請求項７のシステムであって、
上記プライマリメディアコンテンツデコーダは、上記メディアコンテンツ視聴メカニズムの第１のアクティブディスプレイに表示するために選択されるチャンネルとは無関係なチャンネルをデコードし、
チャンネルサーフィン状態の際に、ユーザに２つのチャンネルを同時に見ることを許容する。
【請求項１２】
放送メディア視聴システムに用いられる携帯装置は、
プライマリメディアコンテンツを供給するプライマリデータ、および補足情報を提供する補足データを含む、放送ストリームの選択されたチャンネルを受信する第１のチューナと、
補足情報を抽出するために補足データをデコードする補足デコーダと、
補足情報をユーザに伝達する第１のアクティブディスプレイと、
上記第１のチューナと、独立に選択された放送ストリームのチャンネルを受信する第２のチューナを有するメディアコンテンツ視聴メカニズムとに、選択されたチャンネルを独立して指定するコマンドプロセッサと、
を有し、
上記メディアコンテンツ視聴メカニズムは、プライマリデータをデコードし、プライマリメディアコンテンツを第２のアクティブディスプレイに描画するように動作可能である。
【請求項１３】
請求項１２の装置であって、さらに、
プライマリメディアコンテンツを抽出するためにプライマリデータを所定のフレーム間隔でデコードし、プライマリメディアコンテンツを第１のアクティブディスプレイに縮小した解像度で描画する断続的プライマリメディアコンテンツデコーダを有する。
【請求項１４】
請求項１２の装置であって、さらに、
補足情報源からの補足情報をバッファしストアするコンテンツデータベースと、
デコードされた補足データに基づくコンテンツ、およびコンテンツデータベースのコンテンツの一貫したパッケージを伝達する同期エンジンと、
を有する。
【請求項１５】
メディアコンテンツ視聴システムに用いられる同期方法は、
ユーザによって楽しまれる第２のチャンネルとは独立して、ユーザによって楽しまれるテレビジョン放送の第１のチャンネルに同調し、
ユーザによって楽しまれるテレビジョン放送に埋め込まれる補足データをデコードし、
関連情報源からの補足データに基づいて、関連情報を検索し、
上記補足データおよび関連情報を補足情報としてコンテンツデータベースにバッファしストアし、
デコードされた補足データに基づくコンテンツ、およびコンテンツデータベースのコンテンツの一貫したパッケージを伝達する。
【請求項１６】
請求項１５の方法であって、さらに、
断続的にテレビジョン放送のプライマリデータをデコードしてプライマリメディアコンテンツを取得し、
上記プライマリメディアコンテンツを縮小した解像度で視覚的に描画する。
【請求項１７】
請求項１５の方法であって、さらに、
テレビジョン放送のプライマリデータをデコードしてプライマリメディアコンテンツを取得し、
上記プライマリメディアコンテンツを視覚的に描画する。
【請求項１８】
請求項１７の方法であって、さらに、
プライマリメディアコンテンツを電子プログラミングガイドのコンテンツを含む補足メディアコンテンツと組み合わせて描画する。
【請求項１９】
請求項１８の方法であって、さらに、
ユーザが選択した放送のチャンネルのプライマリメディアコンテンツを表示させるように、周辺メディアコンサンプション装置を遠隔制御し、
電子プログラミングガイドのコンテンツへのユーザアクセスに基づいてユーザが選択したチャンネルのユーザ選択と独立したチャンネルを選択的にデコードする。
【請求項２０】
請求項１７の方法であって、さらに、
ユーザが選択した放送のチャンネルのプライマリメディアコンテンツを表示させるように、周辺メディアコンサンプション装置を遠隔制御し、
周辺メディアコンサンプション装置に表示するために選択されたチャンネルをデコードして、チャンネルサーフィン状態の際に、プライマリメディアコンテンツの共通表示が達成される。
【請求項２１】
請求項１７の方法であって、さらに、
ユーザが選択した放送のチャンネルのプライマリメディアコンテンツを表示させるように、周辺メディアコンサンプション装置を遠隔制御し、
周辺メディアコンサンプション装置によって表示するためにユーザ選択されたチャンネルとは無関係にチャンネルをデコードして、チャンネルサーフィン状態の際に、ユーザに２つのチャンネルを同時に見ることを許容する。
【請求項２２】
請求項１５の方法であって、さらに、
ユーザがアクセス可能なように補足メディアコンテンツを特定するメタデータタグを生成し、
上記メタデータタグを補足メディアコンテンツに関連するプライマリメディアコンテンツを含む放送信号中に埋め込み、
上記信号をユーザに放送する。
【請求項２３】
請求項２２の方法であって、さらに、
上記メタデータタグはＸＭＬタグである。
【請求項２４】
メディアコンテンツ視聴システムに用いられる同期方法は、
ユーザがアクセス可能なように補足メディアコンテンツを特定するメタデータタグを生成し、
上記メタデータタグを補足メディアコンテンツに関連するプライマリメディアコンテンツを含む放送信号中に埋め込み、
上記信号をユーザに放送する。
【請求項２５】
請求項１のシステムであって、
上記携帯装置は、
関連情報源からの補足データに基づいて、関連情報を検索し、
上記補足データおよび関連情報を補足情報としてコンテンツデータベースにバッファしストアし、
デコードされた補足データおよびコンテンツデータベースのコンテンツに基づいて、コンテンツの一貫したパッケージを伝達する。
【請求項２６】
請求項１２のシステムであって、さらに、
補足データに基づいて関連情報を伝達する関連情報源と、
補足データおよび関連情報を補足情報としてバッファしストアするコンテンツデータベースと、
デコードされた補足データおよびコンテンツデータベースのコンテンツに基づいて、コンテンツの一貫したパッケージを伝達する同期エンジンと、
を有する。
【国際調査報告】
2006508618.tif 000008